(57)【要約】【課題】発光部から照射される光の指向性が低減され、まぶしく感じることを抑制できる発光装置を提供することを目的とする。【解決手段】発光部１７の光を入射面１８から導光部１３内に取り込み、第１の導光部分１９から直角方向に折り曲がった第２の導光部分２１を通ることで円周状に光を拡散し、発光部１７の配列面と異なる面を光らせる。上部に光を通さないカバー部１４を備えているため、光らせることができる。また、発光部１７からの直射光は、第１の導光部分２０の外面を覆う筒状の直接光緩和部分２２によって遮られる。【選択図】図４
2018125165.tif 000002
【特許請求の範囲】
【請求項１】
開口部を有する装着部と、
前記装着部内に前記開口部に対向して設けられた板形状の基板部と、
前記基板部における前記開口部に対向した面に装着した発光部と、
前記発光部からの光が入射する導光部と、
前記導光部からの光を遮るカバー部とを備え、
前記導光部は、
前記発光部と対向した入射面と、
前記入射面から前記装着部の前記開口部方向へ筒状に延びた第１の導光部分と、
前記第１の導光部分における前記装着部の前記開口部側の端部から前記開口部の開口縁へ延びた第２の導光部分とを備え、
前記第２の導光部分における外側面の中央部に前記カバー部を備え、
前記第２の導光部分の前記基板部側の面から前記基板部方向へ延び、前記第１の導光部分の外面を覆う筒状の直接光緩和部分を備えたことを特徴とする発光装置。
【請求項２】
前記直接光緩和部分は、
前記カバー部の周縁部より内方に配置されたことを特徴とする請求項１に記載の発光装置。
【請求項３】
前記直接光緩和部分と前記第１の導光部分と距離は、
前記直接光緩和部分と前記開口部の前記開口縁との距離より小さいことを特徴とする請求項１または２に記載の発光装置。
【請求項４】
前記直接光緩和部分と前記基板部との距離は、
前記第１の導光部分と前記基板部との距離より小さいことを特徴とする請求項１から３のいずれかに記載の発光装置。
【請求項５】
前記第２の導光部分の下面における周縁部には、環状に内ローレットを備えたことを特徴とする請求項１から４のいずれかに記載の発光装置。
【請求項６】
前記内ローレットは、前記発光部からの光が前記直接光緩和部分と前記基板部との間を通過した延長上に配置されたことを特徴とする請求項６に記載の発光装置。
【発明の詳細な説明】
【技術分野】
【０００１】
本発明は、空気調和装置に使用される発光装置に関するものである。
【背景技術】
【０００２】
従来、この種の発光装置は、ＬＥＤを用いた指向性の高い照明が知られている（例えば特許文献１参照）。
【０００３】
開口部を有する本体ケースと、本体ケース内に開口部に設けられた板形状の基板部と、基板部の外側の面に装着した発光部とを備え、発光部は、透光製の部品によって覆われていた。
【先行技術文献】
【特許文献】
【０００４】
【特許文献１】特開２０１３−２４５５７１号公報
【発明の概要】
【発明が解決しようとする課題】
【０００５】
このような従来の発光装置における課題は、発光部であるＬＥＤから照射される光の指向性が強い為、ＬＥＤから照射方向を変えることなく使用者に照射されると、使用者がまぶしく感じ易いという課題があった。
【０００６】
そこで本発明は、上記従来の課題を解決するものであり、発光部から照射される光の指向性を低減し、まぶしく感じることを抑制した発光装置を提供することを目的とする。
【課題を解決するための手段】
【０００７】
上述の目的を達成するために、本発明は、開口部を有する装着部と、前記装着部内に前記開口部に対向して設けられた板形状の基板部と、前記基板部における前記開口部に対向した面に装着した発光部と、前記発光部からの光が入射する導光部と、前記導光部からの光を遮るカバー部とを備え、前記導光部は、前記発光部と対向した入射面と、前記入射面から前記装着部の前記開口部方向へ筒状に延びた第１の導光部分と、前記第１の導光部分における前記装着部の前記開口部側の端部から前記開口部の開口縁へ延びた第２の導光部分とを備え、前記第２の導光部分における外側面の中央部に前記カバー部を備え、前記第２の導光部分の前記基板部側の面から前記基板部方向へ延び、前記第１の導光部分の外面を覆う筒状の直接光緩和部分を備えたことを特徴とし、これにより所期の目的を達成するものである。
【発明の効果】
【０００８】
本発明に係る発光装置によれば、開口部を有する装着部と、前記装着部内に前記開口部に対向して設けられた板形状の基板部と、前記基板部における前記開口部に対向した面に装着した発光部と、前記発光部からの光が入射する導光部と、前記導光部からの光を遮るカバー部とを備え、前記導光部は、前記発光部と対向した入射面と、前記入射面から前記装着部の前記開口部方向へ筒状に延びた第１の導光部分と、前記第１の導光部分における前記装着部の前記開口部側の端部から前記開口部の開口縁へ延びた第２の導光部分とを備え、前記第２の導光部分における外側面の中央部に前記カバー部を備え、前記第２の導光部分の前記基板部側の面から前記基板部方向へ延び、前記第１の導光部分の外面を覆う筒状の直接光緩和部分を備えたので、発光部から照射される光の指向性が低減され、まぶしく感じることを抑制できるという効果を得ることができる。
【図面の簡単な説明】
【０００９】
【図１】本発明の実施の形態１に係る発光装置を搭載した送風機の外観図
【図２】同送風機の断面図
【図３】同送風機の発光装置部分の分解図
【図４】同送風機の発光装置部分の断面図
【図５】同送風機の発光装置部分の断面詳細図
【図６】同送風機の発光装置部分の導光部上面斜視図
【図７】同送風機の発光装置部分の導光部下面斜視図
【図８】同送風機の発光装置部分の断面図
【発明を実施するための形態】
【００１０】
（実施の形態１）
以下、添付図面を参照して、本発明の実施の形態につき説明し、本発明の理解に供する。
【００１１】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１２】
以下、本発明の実施の形態１に係る発光装置について説明する。
【００１３】
図１は、本発明の実施の形態１に係る発光装置を搭載した送風機の外観図で、図２は、同送風機の断面図である。
【００１４】
図１と図２に示すように、ほぼ球体の送風機１が支持台２の上に載っている構成となっている。この送風機１の本体ケース３は、主に外ケース４と内ケース５にて構成されている。内ケース５は、発光装置の装着部である。これら外ケース４と内ケース５の嵌合により６つの誘引吸込口６と吹出口７、誘引吹出口８を形成する。また、内部には風を発生させるファンモーター９を有し、下流側には外ケース４と内ケース５の嵌合により吹出口７と連通した風路を形成している。さらにこの風路上流側には、フィルター１０と吸込口１１が設けられている。
【００１５】
この構成により、送風機１を動作させるとファンモーター９が回ることで内部の圧力が上昇し、空気が吸込口１１から吸い込まれる。送風機１内に吸い込まれた空気は、フィルター１０により除塵され、外ケース４と内ケース５の嵌合により形成された風路を通り、円形のスリット状の吹出口７から勢い良く風となって吹き出される。これにより、誘引作用が働き、誘引吹出口８内が負圧となるため、この空気を補填するために６つの誘引吸込口８から空気が吸込まれ、吹出口７からの風と一緒に吹き出される。そのため、実際のファンモーター９で吹出口７から吹き出される風量の数倍の風となって吹き出されることとなる。
【００１６】
図３は、本発明の実施の形態１に係る同送風機の発光装置部分の分解図である。図４は、同送風機の発光装置部分の断面図である。図５は、同送風機の発光装置部分の断面詳細図である。図６は、同送風機の発光装置部分の導光部上面斜視図である。図７は、同送風機の発光装置部分の導光部下面斜視図である。
【００１７】
図３〜図７に示すように、発光装置の装着部である内ケース５の中央には、外方へ突出した内ケース突部１２を有している。この内ケース突部１２の上部には、円形の開口部１５を有している。この開口部１５の内方には、多数の発光部１７を有した基板部１６を備えている。発光部１７の外方（図３における上方）には、発光部１７からの光が入射する導光部１３、導光部１３からの光を遮るカバー部１４が順に設けられている。
【００１８】
基板部１６は、平板形状であり、円形の開口部１５における中心軸に対して垂直な面上に、円形の開口部１５の開口縁２０より内方に配置されている。基板部１６は、開口部１５に対向するように、ねじによって固定されている。
【００１９】
発光部１７の一例は、ＬＥＤ（発光ダイオード）である。発光部１７は、基板部１６における開口部１５に対向した面（図４における上面）のほぼ中央部に多数配置され、円形の開口部１５における中心軸方向において、導光部１３の入射面１８と対向している。導光部１３の入射面１８は、円形の開口部１５における中心軸に対して垂直な面である。発光部１７の光軸は、開口部１５における中心軸と平行である。
【００２０】
導光部１３は、第１の導光部分１９と、第２の導光部分２１と、直接光緩和部分２２と、を有している。第１の導光部分１９と、第２の導光部分２１と、直接光緩和部分２２とは、透光性の樹脂材料（アクリル樹脂、ＰＳ樹脂、ＡＢＳ樹脂、ＡＳ樹脂）によって、一体に樹脂成型されている。
【００２１】
第１の導光部分１９は、入射面１８から内ケース５の開口部１５方向（図４および図５における上方向）へ延びた円筒形状である。円筒形状の第１の導光部分１９の直径は、中央部から、図４および図５における上方向に向かうにつれて大きくなる。第１の導光部分１９の上部の開口の直径は、第１の導光部分１９の下部の開口の直径より大きい。
【００２２】
第２の導光部分２１は、第１の導光部分１９における内ケース５の開口部１５側の端部（入射面１８の反対側の端部）から開口部１５の開口縁２０へ延びた略平板円環形状である。第２の導光部分２１の周縁部の下部が、開口部１５の開口縁２０に当たった状態で接触している。第１の導光部分１９の入射面１８から入った発光部１７の光は、第２の導光部分２１の周縁部の側面である放出面２５から外方へ放出される。放出面２５は、円環形状であり、内ケース突部１２とカバー部１４との間に配置されている。また、第２の導光部分２１の内側には、ローレット加工された円周状の目の内ローレット２３を有し、放出面２５には、ローレット加工された放射状の目の外ローレット２４を有している。
【００２３】
直接光緩和部分２２は、円筒形状であり、第２の導光部分２１の基板部１６側の面から基板部方向（図５における下方向）へ延び、第１の導光部分１９の外面を覆う。
【００２４】
カバー部１４は、外方へ凸形状の円板であり、第２の導光部分における外側面の中央部（図４および図５における導光部１３の中央部上面）に固定され、導光部１３からの光を遮るように表面処理が行われている。表面処理の一例は、黒色の塗装である。カバー部１４、導光部１３を内ケース９の開口部１５に装着すると、カバー部１４の外面と、導光部１３の放出面２５と、内ケース突部１２の外面とは連結し、曲面を形成している。
【００２５】
図８は、同送風機の発光装置部分の断面図で、光の導光と直射光の緩和を示す図である。
【００２６】
図８に示すように、以上の構成において、発光部１７であるＬＥＤを光らせると、光が導光部１３の入射面１８から入り、第１の導光部分１９を通り、さらに第２の導光部分２１を通り、導光部１３の光の放出面２５から外に光を放出される。第１の導光部分１９、および第２の導光部分２１を通る光は、第１の導光部分１９、および第２の導光部分２１の表面で反射を繰返しながら、第１の導光部分１９、および第２の導光部分２１内を進む。
そして、発光部１７であるＬＥＤから放出面２５方向に直接出る直射光２６の一部は、第１の導光部分１９の外面（図４および図５における第１の導光部分１９の側面の外側）を覆う筒状の直接光緩和部分２２によって遮られる。直接光緩和部分２２によって遮られた直射光２６の一部は、直接光緩和部分２２によって第１の導光部分１９へ反射するので、発光部１７からの直射光２６が緩和され、発光部１７からの直射光２６の指向性を低減することができる。なお、直射光２６とは、発光部１７から導光部１３内で、反射することによって進む方向が変化した光ではなく、発光部１７から導光部１３内を透過し、一直線に進む光である。
【００２７】
また、直接光緩和部分２２は、シボやブラストをかけて表面を凹凸形状としたり、塗装することで、更に発光部１７からの直射光２６を第１の導光部分１９へ反射させることができ、発光部１７からの直射光２６を緩和させる。
【００２８】
また、直接光緩和部分２２は、カバー部１４の周縁部より内方に配置されている。具体的には、直接光緩和部分２２と第１の導光部分１９との距離は、直接光緩和部分２２と開口部１５の開口縁２０との距離より小さい。これにより、直接光緩和部分２２と第１の導光部分１９と距離が近づき、発光部１７からの直射光２６が、第１の導光部分１９へ反射し易くなる。
【００２９】
また、直接光緩和部分２２と基板部１６との距離は、第１の導光部分１９と基板部１６との距離より小さい。これにより、発光部１７から放出面２５方向に出る直射光２６が、直接光緩和部分２２に当たり易くなる。
【００３０】
また、第２の導光部分２２の下面における周縁部には、環状に内ローレット２３を備えている。これにより、第２の導光部分２１を通った光は、内側に設けた円周状の目の内ローレット２３によって乱反射する。さらに導光部１３の光の放出面２５に放射状の目の外ローレット２４によって９０度反対方向に乱反射させることで、さらに光の偏りやムラを防ぐことができる。
【００３１】
また、内ローレット２３は、発光部１７からの光が直接光緩和部分２２と基板部１６との間を通過した延長上に配置されている。これにより、発光部１７から放出面２５方向に出る直射光２６の一部は、直接光緩和部分２２を透過する。この直接光緩和部分２２を透過した直射光２６は、内ローレット２３によって乱反射し、光の偏りやムラを防ぎ、直射光２６の指向性を低減することができる。
【産業上の利用可能性】
【００３２】
本発明に係る発光装置は、発光部から照射される光の指向性が低減され、まぶしく感じることを抑制できるので、空気調和装置等に使用される発光装置として有用である。
【符号の説明】
【００３３】
１    送風機
２    支持台
３    本体ケース
４    外ケース
５    内ケース
６    誘引吸込口
７    吹出口
８    誘引吹出口
９    ファンモーター
１０    フィルター
１１    吸込口
１２    内ケース突部
１３    導光部
１４    カバー部
１５    開口部
１６    基板部
１７    発光部
１８    入射面
１９    第１の導光部分
２０    開口縁
２１    第２の導光部分
２２    直接光緩和部分
２３    内ローレット
２４    外ローレット
２５    放出面
２６    直射光
【図１】
2018125165.tif 000003
【図２】
2018125165.tif 000004
【図３】
2018125165.tif 000005
【図４】
2018125165.tif 000006
【図５】
2018125165.tif 000007
【図６】
2018125165.tif 000008
【図７】
2018125165.tif 000009
【図８】
2018125165.tif 000010